(57)【要約】【課題】通信に関する構成を監視対象となる装置（例えばパーソナルコンピュータやサーバ）が備え、通信に関する制御を行っているため、その監視対象となる装置が動作不能となってしまった場合においては画面をキャプチャする事が出来ない。【解決手段】監視対象の装置とその表示装置との間に接続され、更にネットワークに接続された記録装置において、監視対象の装置から表示装置へのディスプレイ信号を取り込み、画像データに変換する変換手段と、上記画像データをメモリに保存する保存手段と、保存された上記画像データをサーバ装置に送信する通信手段とを備える。【選択図】図２
2008283410.tif 000002
【特許請求の範囲】
【請求項１】
監視対象の装置とその表示装置との間に接続され、更にネットワークに接続された記録装置において、
ディスプレイ信号を取り込み、画像データに変換する変換手段と、
前記画像データをメモリに保存する保存手段と、
保存された前記画像データをネットワークに送信する通信手段と、
を備えることを特徴とする記録装置。
【請求項２】
前記変換手段又は前記保存手段又は前記通信手段の動作の設定を変更する設定変更手段を備えることを特徴とする請求項１に記載の記録装置。
【請求項３】
前記メモリに保存されている画像データを前記表示装置に表示するか前記監視対象の装置からのディスプレイ信号をそのまま表示するかを切り替える映像切替手段を備えることを特徴とする請求項１及び２に記載の記録装置。
【請求項４】
前記メモリの中からネットワークへ送信する前記画像データを選択するための選択手段を備えることを特徴とする請求項１乃至３に記載の記録装置。
【請求項５】
前記ディスプレイ信号を定期的に一時保存し、前記変換手段がディスプレイ信号を取り込もうとした時に、その時点から時間的に遡ったディスプレイ信号も前記変換手段に出力する一時保存手段を備えることを特徴とする請求項１乃至４に記載の記録装置。
【請求項６】
前記変換手段が連続してディスプレイ信号を取り込むタイミングを計時するタイマを備えることを特徴とする請求項１乃至４に記載の記録装置。
【請求項７】
前記タイマのタイミングは前記設定変更手段によって設定されることを特徴とする請求項６に記載の記録装置。
【請求項８】
前記メモリに保存されている画像データの一覧表示を作成し、前記表示装置に出力する表示制御部を備えることを特徴とする請求項１乃至７に記載の記録装置。
【請求項９】
前記監視対象の装置又は前記表示装置に内蔵される請求項１乃至８に記載の記録装置。
【請求項１０】
前記メモリは前記記録装置から取り外しが可能な記憶メディアであることを特徴とする請求項１乃至９に記載の記録装置。
【請求項１１】
監視対象の装置とその表示装置との間に接続され、更にネットワークに接続された記録装置において、
監視対象の装置から前記表示装置へのディスプレイ信号を取り込み、画像データに変換する変換ステップと、
前記画像データをメモリに保存する保存ステップと、
保存された前記画像データを送信する通信ステップと、
を備えることを特徴とする記録方法。
【請求項１２】
前記変換ステップ又は前記保存ステップ又は前記通信ステップの動作の設定を変更する設定変更ステップを備えることを特徴とする請求項１１に記載の記録装置。
【請求項１３】
前記メモリに保存されている画像データを前記記録装置が接続されている表示装置に表示する出力映像切替ステップを備えることを特徴とする請求項１１及び１２に記載の記録方法。
【請求項１４】
前記メモリの中からネットワークへ送信する前記画像データを選択するための選択ステップを備えることを特徴とする請求項１１乃至１３に記載の記録方法。
【請求項１５】
前記ディスプレイ信号を定期的に一時保存し、前記変換ステップがディスプレイ信号を取り込もうとした時に、その時点から時間的に遡ったディスプレイ信号も前記変換ステップに出力する一時保存ステップを備えることを特徴とする請求項１１乃至１４に記載の記録装置。
【請求項１６】
前記変換ステップが連続してディスプレイ信号を取り込むタイミングを計時するタイマを備えることを特徴とする請求項１１乃至１５に記載の記録方法。
【請求項１７】
前記メモリに保存されている画像データの一覧表示を作成し、前記表示装置に出力する表示制御ステップを備えることを特徴とする請求項１１乃至１６に記載の記録方法。
【発明の詳細な説明】
【技術分野】
【０００１】
本発明は記録装置及び記録方法に関し、特に監視対象の装置に障害が発生した場合の状態確認を行うための記録装置及び記録方法に関する。
【背景技術】
【０００２】
従来、保守センター等においてはユーザシステム（例えばパーソナルコンピュータやサーバ）の画面表示状況をオペレータが電話でユーザから聞いて、対応を行っていたが、ユーザシステム画面に英語のメッセージ表示が出ていた場合にスペルが読めない、状況をどう説明したらよいか分からない等の要因により、オペレータがユーザから受ける音声のみの説明で正確な表示内容（例えばエラー内容表示や動作状態）の把握をすることは難しかった。
【０００３】
音声のみの説明では正確な表示内容の確認が困難である為、状況確認、保守作業員、システムエンジニアへの手配に時間的なロスが発生していた。
【０００４】
このような障害時に遠隔地の画面表示状況を監視する方法としては監視対象自身が画面表示をキャプチャしてその情報を保存し保守者に送信する方法が挙げられる。
【０００５】
また、特許文献１にはパーソナルコンピュータとディスプレイの間にキャプチャ装置を挿入しディスプレイ表示を保存する発明が開示されている。
【特許文献１】特開２００６−０８１１７０公報（第９頁−１０頁、第１Ｂ図）
【発明の開示】
【発明が解決しようとする課題】
【０００６】
しかしながら、上記のようなシステムにおいては通信に関する構成を監視対象となる装置（例えばパーソナルコンピュータやサーバ）が備え、通信に関する制御を行っているため、その監視対象となる装置が動作不能となってしまった場合においては画面をキャプチャする事が出来ない。
【０００７】
また、特許文献１の様な装置によってキャプチャできてもそのデータを監視者に送信することが出来ず保守者が現地まで確認に行かなければならない。という問題点があった。
【０００８】
本発明は、従来技術の上述した課題に鑑みなされたものであり、斯かる課題を解消して、遠隔地の情報を確実に得ることが可能な記録装置及び記録方法を提供する事を主たる目的とする。
【課題を解決するための手段】
【０００９】
上述した課題を解決し且つ上述した目的を達成するために、本発明の記録装置及び記録方法は、次の如き特徴的な構成を採用している。
【００１０】
（１）本発明の第１の装置は、監視対象の装置とその表示装置との間に接続され、更にネットワークに接続された記録装置において、監視対象の装置から表示装置へのディスプレイ信号を取り込み、画像データに変換する変換手段と、上記画像データをメモリに保存する保存手段と、保存された上記画像データをサーバ装置に送信する通信手段と、を備える。
（２）本発明の第１の方法は、監視対象の装置とその表示装置との間に接続され、更にネットワークに接続された記録装置において、監視対象の装置から表示装置へのディスプレイ信号を取り込み、画像データに変換する変換ステップと、上記画像データをメモリに保存する保存ステップと、保存された上記画像データをサーバ装置に送信する通信ステップと、を備える。
【発明の効果】
【００１１】
上記の如き特徴的な構成を採用する本発明の記録装置及び記録方法によると、次の如き実用上の特有の効果を奏する。キャプチャ装置自身をネットワークに接続するので、監視対象の動作が停止した場合においても、画面表示を遠隔地の監視者に送信する。
【発明を実施するための最良の形態】
【００１２】
以下、本発明による記録装置及び記録方法の好適な実施の形態の構成および動作を、添付の図面を参照して詳細に説明する。なお、本発明は、以下に説明するような処理を装置に実行させるためのプログラムやそれを格納した記憶媒体を包含することは言うまでもない。
【００１３】
以下、本発明による記録装置及び記録方法の第１の実施形態を図１を参照して、監視端末１０、サーバ装置２０、ユーザシステム３０及びネットワーク５０からなるシステム全体の構成を説明する。
【００１４】
ユーザシステム３０はユーザが使用するシステムであり、監視対象装置３０２とキャプチャ装置４０と表示装置３０１を含む。ユーザシステム３０は、ネットワーク５０に接続されキャプチャした画像データをネットワーク５０に送信する。
【００１５】
サーバ装置２０はネットワーク５０に接続されユーザシステム３０から送信された画像データを受信し、また監視端末１０からの要求に応じて受信した画像データを提供する。
【００１６】
監視端末１０は監視者が使用する装置であり、ネットワーク５０に接続されサーバ装置２０アクセスしてユーザシステム３０からの画像データを得て監視対象装置３０２の状態を確認する。
【００１７】
まず、図２を参照して本発明による記録装置及び記録方法の第１実施形態の構成について説明する。
【００１８】
図２は本発明による記憶装置及び記録方法におけるユーザシステム３０の構成を示すブロック図である。ユーザシステム３０は、監視対象装置３０２からのディスプレイ信号を取り込み、ディスプレイ信号を画像データに変換して保存及び送信するキャプチャ装置４０を含む。
【００１９】
図２において、キャプチャ装置４０は、監視対象装置３０２と表示装置３０１の間に接続され、監視対象装置３０２からのディスプレイ信号を取り込む。キャプチャ装置４０は通信部を備えネットワーク５０と接続し、監視端末１０及びサーバ装置２０と通信する。また、キャプチャ装置４０は監視対象装置３０２又は表示装置３０１に内蔵されてもよい。
【００２０】
キャプチャ装置４０と監視対象装置３０２はディスプレイ信号の伝送線の他にキャプチャ装置４０の制御用の信号線（例えば、ＬＡＮケーブルやＵＳＢケーブル）でも接続される。
【００２１】
変換手段４０１は監視対象装置３０２からのディスプレイ信号を取り込み、送信に適したデータ形式（例えばＪＰＥＧ形式やＧＩＦ形式やＢＭＰ形式）の画像データに変換し保存手段４０２に出力する。
【００２２】
保存手段４０２は変換手段４０１によって変換された画像データをメモリ４０３に保存する。また、保存数が設定された保存数を超えた場合には最新の画像データが保存されるように、例えば最古のデータから削除して容量を確保する。なお、メモリ４０３は装置内蔵のハードディスクドライブのような主記憶装置でもスマートメディアのような取り外し可能な記憶メディアでもよい。
【００２３】
表示制御手段４０４はメモリ４０３に保存されている画像データの一覧である保存データ一覧を生成し出力切替手段４０５に出力する。
【００２４】
出力切替手段４０５は監視対象装置３０２からのディスプレイ信号に変更を加えず表示装置３０１に出力するか、表示制御手段４０４で生成された保存データ一覧を表示装置３０１に出力するかを切り替える。
【００２５】
選択手段４０６は、出力切替手段４０５によって保存データ一覧が表示される状態に設定されている場合において、メモリ４０３に記憶されている画像データの中からネットワークへ送信する送信データを選択する。
【００２６】
通信手段４０７はメモリ４０３に保存されている画像データのうち、選択手段４０６によって選ばれた送信データをサーバ装置３００に送信する。また通信手段４０７はネットワーク５０を介してサーバ装置３００及び監視端末１０と通信するためのプロトコル制御及びアクセス制御を行う。
【００２７】
メモリボタン４１０は変換部４０１ディスプレイ信号を取り込むトリガとなる信号を送出する。
【００２８】
選択ボタン４１１は表示制御部４０４が保存データ一覧を表示するトリガとなる信号及び、保存データ一覧表示中に選択部４０６が送信データを選択する為の信号を送出しする。
【００２９】
送信ボタン４１２は選択されたデータを通信部４０７が送信するためのトリガとなる信号を送出する。
【００３０】
設定変更部４１３はネットワーク５０及び監視対象端末３０２から入力される変換部４０１、保存部４０２、表示制御部４０４及び通信部４０７への設定値を保存し、設定変更を実行する。設定値とは例えば、変換するデータ形式や保存枚数や一覧表示枚数や接続先サーバやアクセスの為のＩＤ／パスワード等である。
【００３１】
第１の実施形態におけるキャプチャ装置４０によるディスプレイ信号のキャプチャ及びデータの送信について動作手順を示すフローチャートである図３を参照して説明する。
【００３２】
まず、キャプチャ装置４０は、メモリボタン４１０からの信号を検出すると（ステップＳＴ１−１）、変換手段４０１は監視対象装置３０２からのディスプレイ信号を取り込み、送信に適したファイル形式の画像データを生成する（ステップＳＴ１−２）。保存手段４０２がメモリ４０３の空き容量を確認する（ステップＳＴ１−３）。空き容量が足りない場合は例えば保存時期が古いものから順に削除して空き容量を確保する（ステップＳＴ１−４）。容量が確保できた場合には変換手段４０１から出力された画像データを保存部４０２がメモリ４０３に保存する（ステップＳＴ１−５）。続いてボタンからの信号を検出する（ステップＳＴ１−６）。メモリボタン４１０からの信号であった場合はステップＳＴ１−２に戻る。選択ボタン４１１からの信号であった場合、表示制御部４０６はメモリ４０３に保存されている画像データの保存データ一覧を生成する（ステップＳＴ１−７）。画像データ送信するために出力切替部４０５が保存データ一覧を表示装置３０１に出力するように設定されているか確認し（ステップＳＴ１−８）、保存データ一覧が出力されない設定の場合は出力切替部４０５は保存データ一覧が出力されるように設定する（ステップＳＴ１−９）。保存データ一覧が出力される設定の場合、選択部４０６は選択ボタン４１１からの信号によって保存データ一覧から送信する画像データを決定する（ステップＳＴ１−１０）。通信部４０７は送信ボタン４１２からの信号をトリガにしてサーバ装置２０に対してステップＳＴ１−１０で選択された画像データをネットワークへ送信する（ステップＳＴ１−１１）。
【００３３】
以上の第１の実施形態では、監視対象の動作が停止した場合においても、キャプチャ装置自身が通信部を備えるのでネットワークに接続する。よって、キャプチャ装置自身が画面表示を遠隔地の監視者に送信することができる。従って、監視対象の動作が停止した場合においても画面表示を送信することによって監視者がエラー内容を確実に確認することができる効果を奏する。
【００３４】
また、監視装置自身が画面表示をキャプチャしネットワークに送信する動作と比較して、メモリボタン、選択ボタン、送信ボタンの３ボタンの操作のみで扱えるので機器の操作に不慣れなユーザに対しても好適なインタフェースを提供する。更に、キャプチャ装置のメモリを取り外し可能な記憶メディアとした場合にはキャプチャ装置のハードウェア故障の際にもメモリの内容を容易に取り出せる。
【００３５】
図４を参照して監視端末１０から画像データ取り出しの要求を受けた際のサーバ装置２０の動作手順を示すフローチャートで説明する。
【００３６】
サーバ２０は、監視端末１０からデータ取り出しのアクセスを受けたとき（ステップＳＴ２−１）、ログイン認証を行う（ステップＳＴ２−２）。認証がＯＫであれば（ステップＳＴ２−３）、閲覧したいユーザの選択を要求する（ステップＳＴ２−４）。認証がＮＧであればステップＳＴ２−２に戻り再度ログイン認証を行う。選択されたフォルダへのアクセスの認証を行う（ステップＳＴ２−４）。認証がＯＫであれば監視端末１０に監視対象装置３０２から受信したデータを提供する（ステップＳＴ２−５）。認証がＮＧであればステップＳＴ２−４に戻り再度フォルダへのアクセス認証を行う。
【００３７】
データを受信したサーバ装置２０について動作手順を示すフローチャートである図５を参照して説明する。
【００３８】
サーバ装置２０は、キャプチャ装置４０から画像データを受信する（ステップＳＴ３−１）。送信元であるキャプチャ装置４０の固有情報（例えば、ＭＡＣアドレスや所定のＩＤ等）によって格納場所を決定し（ステップＳＴ３−２）、フォルダに格納する（ステップＳＴ３−３）。
【００３９】
監視端末１０又は監視対象端末３０２からアクセスを受けたキャプチャ装置４０の動作手順を示すフローチャートである図６を参照して説明する。
【００４０】
キャプチャ装置４０の通信部４０７は、外部の装置（例えば、監視対象装置３０２や監視端末１０）からアクセスの要求を検出したとき（ステップＳＴ４−１）、ログイン認証を行う（ステップＳＴ４−２）。ログイン認証がＯＫの場合には、つづいてＭＡＣアドレス認証を行う（ステップＳＴ４−３）。ログイン認証がＮＧの場合はステップＳＴ４−２に戻る。ＭＡＣアドレス認証がＯＫの場合には、通信部４０７が通信内容を解析し、接続の目的を判別する（ステップＳＴ４−４）。ＭＡＣアドレス認証がＮＧの場合は処理を終了する。接続の目的が設定変更であれば、設定変更部４１３が通信内容より設定値を読み込み、変換部４０１、保存部４０２、表示制御部４０４及び通信部４０７に対しての設定値の変更を行う（ステップＳＴ４−５）。接続の目的がメモリ読み出しであれば、保存部４０２はメモリ４０３に保存されている画像データの読み出しを行う（ステップＳＴ４−６）。
【００４１】
また、キャプチャ装置４０は監視対象装置３０２及びネットワーク５０を介して監視端末１０と接続されることによってキャプチャ装置４０の外部の装置である監視対象装置３０２及びネットワーク５０を介した監視端末１０が設定値の変更をするので、ユーザに負担をかけずキャプチャ装置の設定を行える。更に監視端末１０及び監視対象端末３０２はキャプチャ装置４０と通信することによってメモリ４０３に保存されている画像データを直接取り出せる。
【００４２】
以下、本発明による記録装置及び記録方法の第２の実施形態を図７及び図８を参照して説明する。
【００４３】
図７は本発明による記録装置及び記録方法の第２実施形態の構成を示すブロック図である。
【００４４】
図７に示すように本実施例は第１の実施形態である図２の構成に一時保存手段４２０、一時保存メモリ４２１及びタイマ４２２を備えたものでありその他の構成は図２と同一である。
【００４５】
一時保存手段４２０は監視対象から入力されたディスプレイ信号をボタンからの信号とは関係なくタイマ４２２から定期的に出力される信号によって少なくとも２画面分以上の情報を一時保存メモリ４２１に保存する一時保存手段である。一時保存手段４２０は、例えば１秒毎に３０秒間分入力されたディスプレイ信号、即ち３０画面分のディスプレイ信号を保管し、３０秒以降は古い情報から順次削除して新しい情報を記録する動作を行う。よって、データ変更手段４０１はメモリボタン４１０からの信号を検出したとき、その時点で一時保存手段４２０に保存されている一連のディスプレイ信号を取り込み、各々を画像データに変換し、一連の画像データを生成する。そして、保存部４０２は一連の画像データを１つの単位として保存する。
【００４６】
タイマ４２１は設定値によって定められた間隔で定期的に信号を出力する。信号の出力のタイミングは設定変更部４１３によって変更してもよい。
【００４７】
第２の実施形態におけるキャプチャ装置４０によるディスプレイ信号のキャプチャ及びデータの送信について動作手順を示すフローチャートである図８を参照して説明する。
【００４８】
まず、キャプチャ装置４０は、一時保存手段４２０によって監視対象装置のディスプレイ信号をタイマ４２２で定めた間隔で少なくとも２画面分以上のディスプレイ信号を一時保存メモリ４２１に保存する（ステップＳＴ５−１）。メモリボタンからの信号を検出すると（ステップＳＴ５−２）、変換手段４０１が一時保存手段４２０に保存されている一連のディスプレイ信号を取り込み、送信に適したファイル形式の画像データを生成する（ステップＳＴ５−３）。保存手段４０２がメモリ４０３の空き容量を確認する（ステップＳＴ５−４）。空き容量が足りない場合は例えば保存時期が古いものから順に削除して空き容量を確保する（ステップＳＴ５−５）。容量が確保できた場合には変換手段４０１から出力された一連の画像データを１つの単位として保存部４０２がメモリ４０３に保存する（ステップＳＴ５−６）。続いてボタンからの信号を検出する（ステップＳＴ５−７）。メモリボタン４１０からの信号であった場合はステップＳＴ５−３に戻る。選択ボタン４１１からの信号であった場合、表示制御部４０６がメモリ４０３に保存されている画像データの保存データ一覧を生成する（ステップＳＴ５−８）。画像データ送信するために出力切替部４０５は保存データ一覧を表示装置３０１に出力するように設定されているか確認し（ステップＳＴ５−９）、保存データ一覧が出力されない設定の場合は出力切替部４０５は保存データ一覧が出力されるように設定する（ステップＳＴ５−１０）。保存データ一覧が出力される設定の場合、選択部４０６は選択ボタン４１１からの信号によって保存データ一覧から送信する画像データを決定する（ステップＳＴ５−１１）。通信部４０７は送信ボタン４１２からの信号をトリガにしてサーバ装置２０に対してステップＳＴ５−１１で選択された画像データをネットワークへ送信する（ステップＳＴ５−１２）。
【００４９】
以上の第２の実施形態において、監視対象のディスプレイ信号をタイマ４２２で定めた間隔で一時保存することにより、一時保存メモリ４２１に保存されている過去のディスプレイ信号を取り出せる。よって、不意の操作等によって画面が切り替わった後に監視対象がロックアップした場合でも以前に画面表示されていた内容を確認することができる効果を奏する。
【００５０】
以下、本発明による記録装置及び記録方法の第３の実施形態を図９及び図１０を参照して説明する。
【００５１】
図９は本発明による記録装置及び記録方法の第３実施形態の構成を示すブロック図である。
【００５２】
図９に示すように本実施例は第１の実施形態の構成である図２にタイマ４２２を備え、タイマ４２２を変換部４０１に接続する。メモリボタンからの信号を検出した時点を起点にタイマ４２２によって計時された一定間隔毎に少なくとも２画面分以上のディスプレイ信号を連続して取り込む動作を行う。
【００５３】
第３の実施形態におけるキャプチャ装置４０によるディスプレイ信号のキャプチャ及びデータの送信について動作手順を示すフローチャートである図１０を参照して説明する。Ａは取り込み回数のカウンタ、Ｎは設定された連続取り込み画面数とする。
【００５４】
まず、キャプチャ装置４０は、メモリボタン４１０からの信号を検出すると（ステップＳＴ６−１）、変数Aに１を代入する（ステップＳＴ６−２）。その後、変換手段４０１が監視対象装置３０２からのディスプレイ信号を取り込み、送信に適したファイル形式の画像データを生成する（ステップＳＴ６−３）。保存手段４０２がメモリ４０３の空き容量を確認する（ステップＳＴ６−４）。空き容量が足りない場合は例えば保存時期が古いものから順に削除して空き容量を確保する（ステップＳＴ６−５）。容量が確保できた場合には変換手段４０１から出力された画像データを保存部４０２がメモリ４０３に保存する（ステップＳＴ６−６）。この時点で変数Ａに１を加える（ステップＳＴ６−７）。変数Ａと定数Ｎを比較する（ステップＳＴ６−８）。Ａ≦Ｎの場合はタイマ４２２からの信号入力を判定し（ステップＳＴ６−９）、ＹＥＳの場合はステップＳＴ６−３に戻り、ＮＯの場合はステップＳＴ６−９に戻る。Ａ＞Ｎの場合はボタンからの信号を検出する（ステップＳＴ６−１０）。メモリボタン４１０からの信号であった場合はステップＳＴ６−２に戻る。選択ボタン４１１からの信号であった場合、表示制御部４０６がメモリ４０３に保存されている画像データの保存データ一覧を生成する（ステップＳＴ６−１１）。画像データ送信するために出力切替部４０５は保存データ一覧を表示装置３０１に出力するように設定されているか確認し（ステップＳＴ６−１２）、保存データ一覧が出力されない設定の場合は出力切替部４０５を保存データ一覧が出力されるように設定する（ステップＳＴ６−１３）。保存データ一覧が出力される設定の場合、選択部４０６は選択ボタン４１１からの信号によって保存データ一覧から送信する画像データを決定する（ステップＳＴ６−１４）。通信部４０７は送信ボタン４１２からの信号をトリガにしてサーバ装置２０に対してステップＳＴ６−１４で選択された画像データをネットワークへ送信する（ステップＳＴ６−１５）。
【００５５】
以上の第３の実施形態において、メモリボタン４１０からの信号を起点にして、タイマ４２２から出力される信号のタイミングによって連続してディスプレイ信号を取り込むことによりユーザ操作ではタイミングが合わせづらい動きのある画面表示のキャプチャを行え、確実な状態を確認することができる効果を奏する。
【００５６】
以下、本発明による記録装置及び記録方法の第４の実施形態を図９及び図１１を参照して説明する。
【００５７】
図９に示すように本実施例は第３の実施形態と同じ構成を用いてメモリボタン４１０からの信号を得ずともタイマ４２２によって定期的（例えば１分間隔や１時間間隔）にディスプレイ信号を取り込む動作を行う。
【００５８】
第４の実施形態におけるキャプチャ装置４０によるディスプレイ信号のキャプチャ及びデータの送信について動作手順を示すフローチャートである図１１を参照して説明する。
【００５９】
まず、キャプチャ装置４０は、メモリボタン４１０からの信号を検出すると（ステップＳＴ７−１）、タイマからの信号を検出する（ステップＳＴ７−２）。タイマからの信号が検出されない場合はステップＳＴ７−２に戻る。タイマからの信号が検出された場合は、変換手段４０１が監視対象装置３０２からのディスプレイ信号を取り込み、送信に適したファイル形式の画像データを生成する（ステップＳＴ７−３）。保存手段４０２がメモリ４０３の空き容量を確認する（ステップＳＴ７−４）。空き容量が足りない場合は例えば保存時期が古いものから順に削除して空き容量を確保する（ステップＳＴ７−５）。容量が確保できた場合には変換手段４０１から出力された画像データを保存部４０２がメモリ４０３に保存する（ステップＳＴ７−６）。続いて選択ボタンからの信号を検出する（ステップＳＴ１−６）。選択ボタン４１１からの信号であった場合はステップＳＴ７−２に戻る。選択ボタン４１１からの信号であった場合、表示制御部４０６がメモリ４０３に保存されている画像データの保存データ一覧を生成する（ステップＳＴ７−８）。画像データ送信するために出力切替部４０５が保存データ一覧を表示装置３０１に出力するように設定されているか確認し（ステップＳＴ７−９）、保存データ一覧が出力されない設定の場合は出力切替部を保存データ一覧が出力されるように設定する（ステップＳＴ７−１０）。保存データ一覧が出力される設定の場合は選択ボタン４１１からの信号によって保存データ一覧から送信する画像データを決定する（ステップＳＴ７−１１）。送信ボタン４１２からの信号をトリガにしてサーバ装置２０に対してステップＳＴ７−１１で選択された画像データを送信する（ステップＳＴ７−１２）。
【００６０】
以上の第４の実施形態において、タイマ４２２からの信号によってユーザ操作を行わなくともディスプレイ信号を定期的に取り込むことにより、定期的な監視対象の監視を行うことによって監視対象の状態の変化や障害発生のタイミングを確認することができる効果を奏する。
【００６１】
以上、本発明による記録装置及び記録方法を、好適な実施形態に基づいて説明した。しかし、斯かる実施の形態は、本発明の単なる例示に過ぎず、何ら本発明を限定するものではないことに留意されたい。本発明の要旨を逸脱すること無く、特定用途に応じて種々の変形変更が可能であることは当業者には容易に理解できよう。
【図面の簡単な説明】
【００６２】
【図１】本発明の全体構成図
【図２】本発明第１の実施形態のキャプチャ手段の構成図
【図３】図２の処理フローチャート
【図４】監視端末装置から接続を受けた時のサーバ装置のフローチャート
【図５】サーバ装置の保存処理フローチャート
【図６】キャプチャ手段の設定処理フローチャート
【図７】本発明第２の実施形態のキャプチャ手段の構成図
【図８】図７の処理フローチャート
【図９】本発明第３及び第４の実施形態のキャプチャ手段の構成図
【図１０】本発明第３のキャプチャ手段の処理フローチャート
【図１１】本発明第４のキャプチャ手段の処理フローチャート
【符号の説明】
【００６３】
１０  監視端末
２０  サーバ装置
３０  ユーザシステム
４０  キャプチャ装置
５０  ネットワーク
３０１  表示装置
３０２  監視対象装置
４０１  変換部（変換手段）
４０２  保存部（保存手段）
４０３  メモリ
４０４  表示制御部（表示制御手段）
４０５  出力切替部（出力切替手段）
４０６  選択部（選択手段）
４０７  通信部（通信手段）
４０８  ネットワークインタフェース（ネットワークＩ／Ｆ）
４０９  ディスプレイインタフェース（ディスプレイＩ／Ｆ）
４１０  メモリボタン
４１１  選択ボタン
４１２  送信ボタン
４１３  設定変更部（設定変更手段）
４２０  一時保存部（一時保存手段）
４２２  一時保存メモリ
４２３  タイマ
【図１】
2008283410.tif 000003
【図２】
2008283410.tif 000004
【図３】
2008283410.tif 000005
【図４】
2008283410.tif 000006
【図５】
2008283410.tif 000007
【図６】
2008283410.tif 000008
【図７】
2008283410.tif 000009
【図８】
2008283410.tif 000010
【図９】
2008283410.tif 000011
【図１０】
2008283410.tif 000012
【図１１】
2008283410.tif 000013